(57)【要約】リンク領域を具備した情報記録媒体、その記録装置及び記録方法及びその再生装置及び再生方法が開示される。  本発明による情報記録媒体は、第１  ＥＣＣエンコーディングされたユーザデータが含まれた複数のメインブロック；及び前記メインブロックにそれぞれ対応するように前記メインブロックの間に配置される複数のリンク領域を含み、前記リンク領域には、前記メインブロックに関する所定情報が、第２  ＥＣＣエンコーディングされて記録されることを特徴とする。これにより、ＲＯＭタイプディスクの場合、リンク領域を定義することにより、記録可能なディスクとドライブとの互換性を維持しつつも、記録空間の確保側面でリンク領域をさらに効率的に使用できる。
2006505892.tif 000002
【特許請求の範囲】
【請求項１】
ユーザデータが含まれた複数のＥＣＣブロックと、
前記ＥＣＣブロックにそれぞれ対応するように、前記ＥＣＣブロックの間に配置される複数のリンク領域とを含み、
前記リンク領域には、前記ＥＣＣブロックについての付加情報が記録されることを特徴とする情報記録媒体。
【請求項２】
前記リンク領域には、前記ＥＣＣブロックについてのアドレス情報が記録されることを特徴とする請求項１に記載の情報記録媒体。
【請求項３】
前記リンク領域には、少なくとも一つの前記ＥＣＣブロックに対応する付加情報が配置され、前記付加情報は、少なくとも一つの前記リンク領域に配置される方式によって反復的に記録されることを特徴とする請求項１に記載の情報記録媒体。
【請求項４】
前記付加情報は、複数のリンク領域にそれぞれ配置される方式により反復的に記録されることを特徴とする請求項１に記載の情報記録媒体。
【請求項５】
前記リンク領域には、少なくとも一つの前記ＥＣＣブロックに対応するアドレス情報が配置され、前記アドレス情報は、少なくとも一つの前記リンク領域に配置される方式によって反復的に記録されることを特徴とする請求項１に記載の情報記録媒体。
【請求項６】
前記アドレス情報は、複数のリンク領域にそれぞれ配置される方式により反復的に記録されることを特徴とする請求項１に記載の情報記録媒体。
【請求項７】
前記リンク領域には、少なくとも一つのフレームが存在し、
前記フレームは、それぞれ少なくとも一つのデータフィールドと少なくとも一つのアドレスフィールドとを含むことを特徴とする請求項１に記載の情報記録媒体。
【請求項８】
前記各フレームに存在するデータフィールド全体は、ＥＣＣエンコーディング及びＥＣＣデコーディングの対象となるＥＣＣフレームを構成することを特徴とする請求項７に記載の情報記録媒体。
【請求項９】
前記各フレームに存在するアドレスフィールド全体は、ＥＣＣエンコーディング及びＥＣＣデコーディングの対象となるアドレスフレームを構成することを特徴とする請求項７に記載の情報記録媒体。
【請求項１０】
前記付加情報は、少なくとも一部が前記データフィールドごとに少なくとも１回ずつ配置される方式により反復的に記録されることを特徴とする請求項７に記載の情報記録媒体。
【請求項１１】
前記アドレス情報は、少なくとも一部が前記アドレスフィールドごとに少なくとも１回ずつ配置される方式により反復的に記録されることを特徴とする請求項７に記載の情報記録媒体。
【請求項１２】
前記ＥＣＣフレームは、前記データフィールドの数に該当するコードワードを含むことを特徴とする請求項８に記載の情報記録媒体。
【請求項１３】
前記ＥＣＣフレームは、前記付加情報を表すデータにダミーデータを付加してＥＣＣエンコーディングした後、前記ダミーデータを再び取り除き、ＥＣＣエンコーディングにより与えられたパリティのうち一部を捨てることにより得られることを特徴とする請求項８に記載の情報記録媒体。
【請求項１４】
情報記録媒体にリンク領域を備える段階と、
備えられたリンク領域に所定情報を記録する段階と、を含むことを特徴とする記録方法。
【請求項１５】
前記所定情報記録段階は、
ユーザデータが含まれたＥＣＣブロックに対応する付加情報を記録する段階を含むことを特徴とする請求項１４に記載の記録方法。
【請求項１６】
前記リンク領域準備段階は、一つ以上のリンク領域を備える段階を含み、
前記付加情報記録段階は、前記少なくとも一つのリンク領域に少なくとも一つのＥＣＣブロックに対応する付加情報を配置する段階を含むことを特徴とする請求項１５に記載の記録方法。
【請求項１７】
前記付加情報記録段階は、
前記付加情報を複数の前記リンク領域に配置する段階を含むことを特徴とする請求項１６に記載の記録方法。
【請求項１８】
前記付加情報記録段階は、
前記付加情報の少なくとも一部を、一つのリンク領域に提供された複数のデータフィールドに少なくとも１回記録する段階を含むことを特徴とする請求項１６に記載の記録方法。
【請求項１９】
前記付加情報記録段階は、
前記付加情報を表すデータに、ダミーデータを付加してＥＣＣエンコーディングする段階と、
前記ダミーデータを再び取り除き、前記ＥＣＣエンコーディングにより与えられたパリティのうち一部を捨てることにより、ＥＣＣフレームを得る段階と、
得られたＥＣＣフレームを一つのリンク領域に記録する段階と、を含むことを特徴とする請求項１６に記載の記録方法。
【請求項２０】
前記リンク領域へのＥＣＣフレームの記録段階は、
前記ＥＣＣフレームのコードワードが配置された方向と逆方向に記録する段階を含むことを特徴とする請求項１９に記載の記録方法。
【請求項２１】
前記リンク領域へのＥＣＣフレームの記録段階は、
前記ＥＣＣフレームのコードワードが配置された方向と逆方向に、前記一つのリンク領域に設けられた複数のデータフィールドに記録する段階を含むことを特徴とする請求項１９に記載の記録方法。
【請求項２２】
前記所定情報記録段階は、
ユーザデータが含まれたＥＣＣブロックについてのアドレス情報を記録する段階を含むことを特徴とする請求項１４に記載の記録方法。
【請求項２３】
前記アドレス情報記録段階は、
前記リンク領域に、少なくとも一つのＥＣＣブロックに対応するアドレス情報を配置する段階を含むことを特徴とする請求項２２に記載の記録方法。
【請求項２４】
前記リンク領域準備段階は、複数のリンク領域を備える段階を含み、
前記アドレス情報記録段階は、前記各リンク領域に前記アドレス情報を配置する段階を含むことを特徴とする請求項２２に記載の記録方法。
【請求項２５】
前記アドレス情報記録段階は、
前記アドレス情報の少なくとも一部を、前記リンク領域にそれぞれ複数設けられたアドレスフィールドごとに少なくとも１回ずつ配置する方式により反復的に記録する段階を含むことを特徴とする請求項２２に記載の記録方法。
【請求項２６】
前記アドレス情報記録段階は、
一つのリンク領域にＥＣＣエンコーディングされて得られたアドレスフレームを記録する段階を含むことを特徴とする請求項２２に記載の記録方法。
【請求項２７】
前記アドレス情報記録段階は、
前記アドレスフレームのコードワードが配置された方向と逆方向に記録する段階を含むことを特徴とする請求項２６に記載の記録方法。
【請求項２８】
前記アドレス情報記録段階は、
前記アドレスフレームのコードワードが配置された方向と逆方向に、前記一つのリンク領域に設けられた複数のアドレスフィールドに記録する段階を含むことを特徴とする請求項２６に記載の記録方法。
【請求項２９】
情報記録媒体のユーザデータが含まれたＥＣＣブロックに対応するように設けられたリンク領域からデータを読み出す段階と、
読み出されたデータをＥＣＣデコーディングして、付加情報及びアドレス情報のうち少なくとも一つを得る段階とを含むことを特徴とする再生方法。
【請求項３０】
前記付加情報及びアドレス情報を得る段階は、
読み出されたＥＣＣフレームのデータ側にダミーデータを付加する段階と、
読み出されたＥＣＣフレームのパリティ側に、ランダム値を残りのパリティとして付加し、残りのパリティ全体にエラーが発生したと見なしてエラー訂正する段階とを含むことを特徴とする請求項２９に記載の再生方法。
【請求項３１】
付加情報をＥＣＣエンコーディングするＥＣＣエンコーディング部と、
前記情報記録媒体のリンク領域には、少なくとも一つの前記ＥＣＣブロックに対応する付加情報が配置され、前記付加情報は、少なくとも一つの前記リンク領域に配置される方式によって、前記ＥＣＣエンコーディングされた付加情報を反復的に記録する記録部とを含むことを特徴とする記録装置。
【請求項３２】
前記記録部は、
複数の前記リンク領域にそれぞれ配置する方式により反復的に記録することを特徴とする請求項３１に記載の記録装置。
【請求項３３】
前記記録部は、
少なくとも一部を、前記リンク領域に設けられた複数のデータフィールドごとに少なくとも１回ずつ配置する方式により反復的に記録することを特徴とする請求項３２に記載の記録装置。
【請求項３４】
前記ＥＣＣエンコーディング部は、前記付加情報を表すデータにダミーデータを付加してＥＣＣエンコーディングした後、前記ダミーデータを再び取り除き、ＥＣＣエンコーディングにより与えられたパリティのうち一部を捨てることによりＥＣＣフレームを得、
前記記録部は、得られた一つのＥＣＣフレームを一つのリンク領域に記録することを特徴とする請求項３１に記載の記録装置。
【請求項３５】
前記記録部は、
前記ＥＣＣフレームのコードワードが配置された方向と逆方向に記録することを特徴とする請求項３４に記載の記録装置。
【請求項３６】
情報記録媒体のユーザデータが含まれたＥＣＣブロックに対応するように設けられたリンク領域から、データを読み出す読み出し部と、
読み出されたデータをＥＣＣデコーディングして、付加情報及びアドレス情報のうち少なくとも一つを得るＥＣＣデコーディング部とを含むことを特徴とする再生装置。
【請求項３７】
前記ＥＣＣデコーディング部は、読み出されたＥＣＣフレームのデータ側にダミーデータを付加し、パリティ側にランダム値を残りのパリティとして付加し、残りのパリティ全体にエラーが発生したと見なしてエラー訂正することを特徴とする請求項３６に記載の再生装置。
【請求項３８】
前記ＥＣＣブロックのうち一つのＥＣＣブロックに関するアドレス情報が、前記一つのＥＣＣブロックに対応するリンク領域のうち一つのリンク領域に所定回数記録されることを特徴とする請求項１に記載の情報記録媒体。
【請求項３９】
前記ＥＣＣブロックのアドレス情報のうち少なくとも一部は、前記リンク領域のうち一つに記録されることを特徴とする請求項１に記載の情報記録媒体。
【請求項４０】
前記ＥＣＣブロックのうち一つのＥＣＣブロックに関するアドレス情報が、前記リンク領域のうち少なくとも２つに配列されることを特徴とする請求項１に記載の情報記録媒体。
【請求項４１】
前記ＥＣＣブロックは、ｋ−１、ｋ、ｋ＋１  ＥＣＣブロックを含み、
前記リンク領域は、前記ｋ−１、ｋ、ｋ＋１  ＥＣＣブロックにそれぞれ対応するｋ−１、ｋ、ｋ＋１リンク領域を含み、前記ｋリンク領域は、前記ｋ−１、ｋ、ｋ＋１  ＥＣＣブロックに関するアドレス情報を含むことを特徴とする請求項１に記載の情報記録媒体。
【請求項４２】
前記ＥＣＣブロックのうち一つのＥＣＣブロックに関する前記付加情報は、前記一つのＥＣＣブロックに対応する一つのリンク領域に複数回記録されることを特徴とする請求項１に記載の情報記録媒体。
【請求項４３】
ＥＣＣブロックに関する前記付加情報の少なくとも一部は、前記リンク領域のうち一つのリンク領域に記録されることを特徴とする請求項１に記載の情報記録媒体。
【請求項４４】
前記ＥＣＣブロックのうち一つのＥＣＣブロックに関する前記付加情報は、少なくとも２つのリンク領域に配列されることを特徴とする請求項１に記載の情報記録媒体。
【請求項４５】
前記ＥＣＣブロックは、ｋ−１、ｋ、ｋ＋１  ＥＣＣブロックを含み、
前記リンク領域は、前記ｋ−１、ｋ、ｋ＋１  ＥＣＣブロックにそれぞれ対応するｋ−１、ｋ、ｋ＋１リンク領域を含み、前記ｋリンク領域は、前記ｋ−１、ｋ、ｋ＋１
ＥＣＣブロックに関するアドレス情報を含むことを特徴とする請求項１に記載の情報記録媒体。
【請求項４６】
前記リンク領域のうち一つのリンク領域は、前記ＥＣＣブロックのうち一つのＥＣＣブロックに関する情報を含み、前記一つのＥＣＣブロックは、前記リンク領域と前記ＥＣＣブロックの配列のうち前記一つのリンク領域の前方または後方に配列されることを特徴とする請求項１に記載の情報記録媒体。
【請求項４７】
前記リンク領域のうち２つのリンク領域は、前記ＥＣＣブロックのうち一つのＥＣＣブロックに関する情報を含み、前記一つのＥＣＣブロックは、前記リンク領域と前記ＥＣＣブロックの配列のうち前記２つのリンク領域間に配列されることを特徴とする請求項１に記載の情報記録媒体。
【請求項４８】
前記各リンク領域は、複数のフレームを含み、
前記各フレームは、少なくとも一つのデータフィールド、少なくとも一つのアドレスフィールド、前記一つのリンク領域に対応するフレームの同期化に用いられる同期フレームを含むことを特徴とする請求項１に記載の情報記録媒体。
【請求項４９】
前記各リンク領域は、フレームを含み、
前記各フレームは、データフィールド及びアドレスフィールドを含み、
前記少なくとも一つのデータフィールドに記録されたあらゆるデータは、ＥＣＣエンコーディングとＥＣＣデコーディングのうち少なくとも一つに関するＥＣＣフレームを定義することを特徴とする請求項１に記載の情報記録媒体。
【請求項５０】
前記各リンク領域は、一つ以上のフレームを含み、
前記各フレームは、データフィールド及びアドレスフィールドを含み、
一つのフレームまたは複数のフレームに存在する複数のデータフィールドに記録されたデータの全部または少なくとも一部は、ＥＣＣエンコーディングまたはＥＣＣデコーディングのうち少なくとも一つに関するＥＣＣフレームを定義することを特徴とする請求項１に記載の情報記録媒体。
【請求項５１】
前記各リンク領域は、一つ以上のフレームを含み、
前記各フレームは、データフィールド及びアドレスフィールドを含み、
一つのデータフィールドの少なくとも一部に記録されたデータは、ＥＣＣエンコーディングまたはＥＣＣデコーディングのうち少なくとも一つに関するＥＣＣフレームを定義することを特徴とする請求項１に記載の情報記録媒体。
【請求項５２】
前記各リンク領域は、一つ以上のフレームを含み、
前記各フレームは、データフィールドとアドレスフィールドを含み、
一つのフレームに存在する複数のアドレスフィールドに記録されたデータの全部または少なくとも一部は、ＥＣＣエンコーディングまたはＥＣＣデコーディングのうち少なくとも一つに関するＥＣＣフレームを定義することを特徴とする請求項１に記載の情報記録媒体。
【請求項５３】
前記リンク領域は、コードワードを含むＥＣＣフレームを含み、
各コードワードは、前記付加情報のデータ及び前記情報記録媒体のエラー訂正に使われるパリティを含むことを特徴とする請求項１に記載の情報記録媒体。
【請求項５４】
前記リンク領域は、コードワードを含むアドレスフレームを含み、
各コードワードは、前記アドレス情報のデータ及び前記情報記録媒体のエラー訂正に使われるパリティを含むことを特徴とする請求項５に記載の情報記録媒体。
【請求項５５】
前記情報記録媒体は、ＲＯＭタイプディスクであることを特徴とする請求項１に記載の情報記録媒体。
【請求項５６】
前記付加情報記録段階は、
前記付加情報データにダミーデータを付加し、前記付加結果のあらゆるコードワードをＥＤＣエンコーディングする段階と、
前記ＥＤＣエンコーディングの結果をＥＣＣエンコーディングすることにより、コードワードを得る段階と、
前記リンク領域に前記コードワードを記録する段階とを含むことを特徴とする請求項１６に記載の方法。
【請求項５７】
前記付加情報記録段階は、
前記付加情報データのあらゆるコードワードをＥＤＣエンコーディングする段階と、
前記ＥＤＣエンコーディングの結果をＥＣＣエンコーディングすることにより、コードワードを得る段階と、
前記リンク領域に前記コードワードを記録する段階とを含むことを特徴とする請求項１６に記載の方法。
【請求項５８】
前記少なくとも一つの付加情報及びアドレス情報を得る段階は、
前記リンク領域から読み出されたＥＣＣフレームのデータにダミーデータを付加する段階と、
前記読み出されたＥＣＣフレームのパリティに、残りのパリティとしてランダムな数を付加し、前記残りのパリティにイレーザー訂正を行う段階とを含むことを特徴とする請求項２９に記載の方法。
【請求項５９】
前記少なくとも一つの付加情報及びアドレス情報を得る段階は、
前記リンク領域から読み出されたコードワードをＥＣＣデコーディングする段階と、
前記ＥＣＣエンコーディングの結果をＥＤＣデコーディングする段階とを含むことを特徴とする請求項２９に記載の方法。
【請求項６０】
前記少なくとも一つの付加情報及びアドレス情報を得る段階は、
前記コードワードをＥＣＣデコーディングすることにより、前記リンク領域から読み出されたコードワードからダミーデータを分離する段階と、
前記ＥＣＣデコーディングの結果をＥＤＣデコーディングする段階とを含むことを特徴とする請求項２９に記載の方法。
【請求項６１】
前記記録部は、前記情報記録媒体の少なくとも一つのリンク領域に、前記ＥＣＣエンコーディングされた付加情報を、所定回数記録することを特徴とする請求項３１に記載の方法。
【請求項６２】
前記記録部は、前記リンク領域の観点で、一つのリンク領域に関するＥＣＣエンコーディングされた付加情報を記録し、同時に付加情報の観点で、前記少なくとも一つのリンク領域に前記付加情報を記録することによって、前記ＥＣＣエンコーディングされた付加情報を記録することを特徴とする請求項３１に記載の方法。
【発明の詳細な説明】
【技術分野】
【０００１】
本発明は、光ディスクに係り、より詳細には、リンク領域を具備した情報記録媒体、その記録装置及び記録方法、及びその再生装置及び再生方法に関する。
【背景技術】
【０００２】
データの記録／再生時に、レーザーを使用する光ディスクが広く使われている。記録可能な光ディスクの場合、データが記録される定位置から多少外れて記録されるとしても、データを正常的に読み取れるように、すなわち、ランダム記録／反復記録を保証するためのバッファの役割を行う領域が定義されている。これら領域は、ランイン領域またはランアウト領域と呼ぶ。ランイン領域またはランアウト領域は、ユーザデータが記録される領域の間に存在するので、リンク領域とも呼ぶ。
【０００３】
ところが、データ再生のみ可能な、すなわち、ＲＯＭタイプの光ディスクの場合、ドライブの互換性を考慮して、記録可能な光ディスクに定義されたランイン領域またはランアウト領域、すなわち、リンク領域をそのまま導入するならば、記録空間の使用効率性が低下するという問題点がある。なぜなら、ＲＯＭタイプの光ディスクの場合、ディスク製作者によりオーサリング過程でデータが一回に記録された後には、データが再記録されることがないので、反復記録時に始めてその機能が発揮されるリンク領域は、ユーザデータが記録されないように記録空間のみ占めている形になるからである。
【発明の開示】
【発明が解決しようとする課題】
【０００４】
したがって、本発明の目的は、ＲＯＭタイプのディスクの場合、リンク領域を定義することによって記録可能なディスクとドライブとの互換性を維持しつつも、記録空間確保側面でリンク領域をさらに効率的に使用できるデータ構造を持つ情報記録媒体、その記録装置及び記録方法及びその再生装置及び再生方法を提供するところにある。
【課題を解決するための手段】
【０００５】
前記目的は、本発明によって、ユーザデータが含まれた複数のＥＣＣブロックと、前記ＥＣＣブロックにそれぞれ対応するように、前記ＥＣＣブロックの間に配置される複数のリンク領域とを含み、前記リンク領域には、前記ＥＣＣブロックについての付加情報が記録されることを特徴とする情報記録媒体により達成される。
【０００６】
前記リンク領域には、前記ＥＣＣブロックについてのアドレス情報が記録されることが望ましい。
【０００７】
前記リンク領域には、少なくとも一つの前記ＥＣＣブロックに対応する付加情報が配置され、前記付加情報は、少なくとも一つの前記リンク領域に配置されるか、複数のリンク領域にそれぞれ配置される方式により反復的に記録されることが望ましい。
【０００８】
前記リンク領域には、少なくとも一つの前記ＥＣＣブロックに対応するアドレス情報が配置され、前記アドレス情報は、少なくとも一つの前記リンク領域に配置される方式によって反復的に記録されか、複数のリンク領域にそれぞれ配置される方式により反復的に記録されることが望ましい。
【０００９】
前記リンク領域には、少なくとも一つのフレームが存在し、前記フレームは、それぞれ少なくとも一つのデータフィールドと少なくとも一つのアドレスフィールドとを含むことが望ましい。
【００１０】
前記各フレームに存在するデータフィールド全体は、ＥＣＣエンコーディング及びＥＣＣデコーディングの対象となるＥＣＣフレームを構成し、前記各フレームに存在するアドレスフィールド全体は、ＥＣＣエンコーディング及びＥＣＣデコーディングの対象となるアドレスフレームを構成することが望ましい。
【００１１】
前記付加情報は、少なくとも一部が前記データフィールドごとに少なくとも１回ずつ配置される方式により反復的に記録され、前記アドレス情報は、少なくとも一部が前記アドレスフィールドごとに少なくとも１回ずつ配置される方式により反復的に記録されることが望ましい。
【００１２】
前記ＥＣＣフレームは、前記データフィールドの数に該当するコードワードを含み、前記ＥＣＣフレームは、前記付加情報を表すデータにダミーデータを付加してＥＣＣエンコーディングした後、前記ダミーデータを再び取り除き、ＥＣＣエンコーディングにより与えられたパリティのうち一部を捨てることにより得られることが望ましい。
【００１３】
一方、本発明の他の分野によれば、前記目的は、情報記録媒体にリンク領域を備える段階と、備えられたリンク領域に所定情報を記録する段階とを含むことを特徴とする記録方法によっても達成される。
【００１４】
前記所定情報記録段階は、ユーザデータが含まれたＥＣＣブロックに対応する付加情報を記録する段階を含み、前記リンク領域準備段階は、一つ以上のリンク領域を備える段階を含み、前記付加情報記録段階は、前記少なくとも一つのリンク領域に少なくとも一つのＥＣＣブロックに対応する付加情報を配置する段階を含み、前記付加情報記録段階は、前記付加情報を複数の前記リンク領域に配置する段階を含むことが望ましい。
【００１５】
前記付加情報記録段階は、前記付加情報の少なくとも一部を、一つのリンク領域に提供された複数のデータフィールドに少なくとも１回記録する段階を含むことが望ましく、前記付加情報記録段階は、前記付加情報を表すデータに、ダミーデータを付加してＥＣＣエンコーディングする段階と、前記ダミーデータを再び取り除き、前記ＥＣＣエンコーディングにより与えられたパリティのうち一部を捨てることにより、ＥＣＣフレームを得る段階と、得られたＥＣＣフレームを一つのリンク領域に記録する段階と、を含むことが望ましい。
【００１６】
前記リンク領域へのＥＣＣフレームの記録段階は、前記ＥＣＣフレームのコードワードが配置された方向と逆方向に記録する段階を含むか、前記リンク領域へのＥＣＣフレームの記録段階は、前記ＥＣＣフレームのコードワードが配置された方向と逆方向に、前記一つのリンク領域に設けられた複数のデータフィールドに記録する段階を含むことが望ましい。
【００１７】
前記所定情報記録段階は、ユーザデータが含まれたＥＣＣブロックについてのアドレス情報を記録する段階を含み、前記アドレス情報記録段階は、前記リンク領域に、少なくとも一つのＥＣＣブロックに対応するアドレス情報を配置する段階を含み、前記リンク領域準備段階は、複数のリンク領域を備える段階を含み、前記アドレス情報記録段階は、前記各リンク領域に前記アドレス情報を配置する段階を含むことが望ましい。
【００１８】
前記アドレス情報記録段階は、前記アドレス情報の少なくとも一部を、前記リンク領域にそれぞれ複数設けられたアドレスフィールドごとに少なくとも１回ずつ配置する方式により反復的に記録する段階を含むか、一つのリンク領域にＥＣＣエンコーディングされて得られたアドレスフレームを記録する段階を含むか、前記アドレスフレームのコードワードが配置された方向と逆方向に記録する段階を含むか、前記アドレスフレームのコードワードが配置された方向と逆方向に、前記一つのリンク領域に設けられた複数のアドレスフィールドに記録する段階を含むことが望ましい。
【００１９】
一方、本発明の他の分野によれば、前記目的は、情報記録媒体のユーザデータが含まれたＥＣＣブロックに対応するように設けられたリンク領域からデータを読み出す段階と、読み出されたデータをＥＣＣデコーディングして、付加情報及びアドレス情報のうち少なくとも一つを得る段階と、を含むことを特徴とする再生方法によって達成される。
【００２０】
前記付加情報及びアドレス情報を得る段階は、読み出されたＥＣＣフレームのデータ側にダミーデータを付加する段階と、読み出されたＥＣＣフレームのパリティ側に、ランダム値を残りのパリティとして付加し、残りのパリティ全体にエラーが発生したと見なしてエラー訂正する段階と、を含むことが望ましい。
【００２１】
一方、本発明の他の分野によれば、前記目的は、付加情報をＥＣＣエンコーディングするＥＣＣエンコーディング部と、前記情報記録媒体のリンク領域には、少なくとも一つの前記ＥＣＣブロックに対応する付加情報が配置され、前記付加情報は、少なくとも一つの前記リンク領域に配置される方式によって、前記ＥＣＣエンコーディングされた付加情報を反復的に記録する記録部と、を含むことを特徴とする記録装置によっても達成される。
【００２２】
前記記録部は、複数の前記リンク領域にそれぞれ配置する方式により反復的に記録するか、少なくとも一部を、前記リンク領域に設けられた複数のデータフィールドごとに少なくとも１回ずつ配置する方式により反復的に記録することが望ましい。
【００２３】
前記ＥＣＣエンコーディング部は、前記付加情報を表すデータにダミーデータを付加してＥＣＣエンコーディングした後、前記ダミーデータを再び取り除き、ＥＣＣエンコーディングにより与えられたパリティのうち一部を捨てることによりＥＣＣフレームを得、前記記録部は、得られた一つのＥＣＣフレームを一つのリンク領域に記録するか、前記ＥＣＣフレームのコードワードが配置された方向と逆方向に記録することが望ましい。
【００２４】
一方、本発明の他の分野によれば、前記目的は、情報記録媒体のユーザデータが含まれたＥＣＣブロックに対応するように設けられたリンク領域から、データを読み出す読み出し部と、読み出されたデータをＥＣＣデコーディングして、付加情報及びアドレス情報のうち少なくとも一つを得るＥＣＣデコーディング部と、を含むことを特徴とする再生装置によっても達成される。
【００２５】
前記ＥＣＣデコーディング部は、読み出されたＥＣＣフレームのデータ側にダミーデータを付加し、パリティ側にランダム値を残りのパリティとして付加し、残りのパリティ全体にエラーが発生したと見なしてエラー訂正することが望ましい。
【発明を実施するための最良の形態】
【００２６】
以下、添付された図面を参照して本発明の望ましい実施形態を詳細に説明する。
【００２７】
図１は、本発明の望ましい実施形態による記録装置の概略図である。図１を参照するに、記録装置は、本発明によって光ディスク１００に定義されたリンク領域に所定情報を記録するために、記録部１及びＥＣＣエンコーディング部２を具備する。
【００２８】
ＥＣＣエンコーディング部２は、光ディスク１００に記録するためのユーザデータを第１  ＥＣＣエンコーディングする一方、本発明によって、光ディスク１００のリンク領域に記録される所定情報を第２  ＥＣＣエンコーディングする。第１  ＥＣＣエンコーディングは、ユーザデータのために採用された第１エラー訂正システムによってエンコーディングすることを意味し、第２  ＥＣＣエンコーディングは、リンク領域に記録される所定情報のために採用された第２エラー訂正システムによってエンコーディングすることを意味する。第１エラー訂正システム及び第２エラー訂正システムは、必要によって同じエラー訂正コードを使用することもあり、同じ過程を経てエラー訂正のためのエンコーディングを行うことができる。
【００２９】
記録部１は、ＥＣＣエンコーディング部２によりエンコーディングされたユーザデータを光ディスク１００に記録する一方、ＥＣＣエンコーディング部２によりエンコーディングされた情報を、光ディスク１００のリンク領域に記録する。これにより、光ディスク１００のリンク領域には、本発明によって所定情報が含む。
【００３０】
リンク領域に含まれる情報は、付加情報とアドレス情報とに区分される。付加情報は、著作権情報、ユーザデータが記録されるブロックについてのアクセス許容如何を表す情報を含む。アドレス情報は、データの記録／再生のための位置情報をいう。
【００３１】
図２は、本発明の望ましい実施形態による再生装置の概略図である。図２を参照するに、再生装置は、読み出し部４及びＥＣＣデコーディング部５を具備する。読み出し部４は、本発明による光ディスク１００に設けられたメインブロックまたはＥＣＣブロックからユーザデータを読み出すか、リンク領域から所定情報を読み出して、ＥＣＣデコーディング部５に提供する。さらに具体的に、読み出し部４は、メインブロックまたはＥＣＣブロックから、第１  ＥＣＣエンコーディングされたデータを読み出し、メインブロックまたはＥＣＣブロックの間に配置される複数のリンク領域から、第２  ＥＣＣエンコーディングされたデータを読み出す。
【００３２】
ＥＣＣデコーディング部２は、読み出し部４から提供されたユーザデータまたは情報を、ＥＣＣデコーディングして出力する。さらに具体的に、メインブロックまたはＥＣＣブロックから読み出されたデータを第１  ＥＣＣデコーディングしてユーザデータを得、リンク領域から読み出されたデータを第２  ＥＣＣデコーディングして、メインブロックまたはＥＣＣブロックに関する所定情報を出力する。第１  ＥＣＣデコーディングは、ユーザデータのために採用された第１エラー訂正システムによってエラー訂正を行うことを意味し、第２  ＥＣＣエンコーディングは、リンク領域に記録される所定情報のために採用された第２エラー訂正システムによって、エラー訂正を行うことを意味する。第１エラー訂正システム及び第２エラー訂正システムは、必要によって同じエラー訂正コードを使用することもあり、同じエラー訂正過程を経てエラー訂正を行うことができる。
【００３３】
図１の光ディスク１００へのデータ記録が完了する場合、図２の光ディスク１００は、それと同じデータ構造を持つので、同じ参照番号を付与する。すなわち、図２の光ディスク１００は、本発明によるデータ構造を持つディスクとしてリンク領域が定義されており、そのリンク領域には、本発明によって所定情報が記録されている。
【００３４】
図１の記録装置及び図２の再生装置は、ディスクドライブに搭載される。
【００３５】
図３Ａないし図３Ｃは、本発明による光ディスク１００のデータ構造の物理的レイアウトの実施形態を示す。
【００３６】
図３Ａを参照するに、光ディスク１００に設けられた少なくとも一つの記録層（図示せず）には、ＥＣＣブロックとそれに対応するリンク領域とが交互に配置される。光ディスク１００の記録空間にはＥＣＣブロック＃１が配置され、対応するリンク領域＃１が配置された後、再びＥＣＣブロック＃２が配置され、対応するリンク領域＃２が配置される。同様に、ＥＣＣブロック＃ｋが配置され、対応するリンク領域＃ｋが配置される。ＥＣＣブロックにはユーザデータが含まれており、リンク領域には本発明による情報が含まれている。リンク領域の観点で、任意のリンク領域＃ｋには、直前に存在するＥＣＣブロック＃ｋに関する情報が記録される。
【００３７】
図３Ｂを参照するに、光ディスク１００に設けられた少なくとも一つの記録層（図示せず）には、図３Ａと同じく、ＥＣＣブロックとそれに対応するリンク領域とが交互に配置されている。但し、その順序が図３Ａのそれと逆である。すなわち、まず、リンク領域が配置された後、対応するＥＣＣブロックが配置される。リンク領域の観点で、任意のリンク領域＃ｋには、直後に存在するＥＣＣブロック＃ｋに関する情報が記録される。
【００３８】
図３Ｃを参照するに、光ディスク１００に設けられた少なくとも一つの記録層（図示せず）には、ＥＣＣブロックの前後に対応するリンク領域がそれぞれ配置されている。すなわち、まずリンク領域＃１が配置された後、ＥＣＣブロック＃１が配置され、再びリンク領域＃１が配置される。同様に、リンク領域＃ｋが配置された後、ＥＣＣブロック＃ｋが配置され、再びリンク領域＃ｋが配置される。以下で言及される任意のリンク領域＃ｋは、図３Ｃの場合、ＥＣＣブロック＃ｋの前後に配置された２つのリンク領域＃ｋを合わせて一つと見なす論理的なリンク領域を示す。リンク領域の観点で、任意のリンク領域＃ｋには、直前または直後に存在するＥＣＣブロック＃ｋに関する情報が記録される。
【００３９】
図４Ａないし図４Ｃは、本発明の望ましい実施形態による任意のリンク領域＃ｋのデータ構造図である。
【００４０】
図４Ａを参照するに、リンク領域＃ｋは複数のフレームを持つ。各フレームの先端には、フレームの同期のためのデータであるフレームシンク（Ｆｒａｍｅ  Ｓｙｎｃ）が記録される。フレームシンクに続いて各フレームには、データフィールド（Ｄａｔａ  Ｆｉｅｌｄ）とアドレスフィールド（Ａｄｄｒｅｓｓ  Ｆｉｅｌｄ）とが交互に配置される。但し、フレームシンクを除外すれば、データフィールドが両端にそれぞれ配置された構造を持つので、アドレスフィールドの数はデータフィールドの数より１が小さい。
【００４１】
図４Ｂを参照するに、リンク領域＃ｋは、複数のフレームを持つ。各フレームの先端には、フレームの同期のためのデータであるフレームシンク（Ｆｒａｍｅ  Ｓｙｎｃ）が記録される。フレームシンクに続いて各フレームには、データフィールド（Ｄａｔａ  Ｆｉｅｌｄ）とアドレスフィールド（Ａｄｄｒｅｓｓ  Ｆｉｅｌｄ）とが交互に配置される。アドレスフィールドは、各フレームの数はデータフィールドの終わりに配列されるため、アドレスフィールドの数はデータフィールドの数より１が大きい。代案として、データフィールドが先に、アドレスフィールドが後で配置される順序に、データフィールドとアドレスフィールドとが交互に配置され、かつアドレスフィールドで終われば、アドレスフィールドの数はデータフィールドの数と同じくなる。
【００４２】
図４Ｃを参照するに、リンク領域＃ｋは、複数のフレームを持つ。フレームの同期のためのデータであるフレームシンクは、各フレームの一側終わりに記録される。図４Ｃに示すように、一つのフレームシンクの後には、複数のアドレスフィールドと一つのデータフィールドとがつながる。
【００４３】
図４Ａ及び図４Ｂに示す配列方法で、少なくとも一つのデータフィールドに記録されたデータをいずれも合わせれば、一つのＥＣＣフレームが得られる。換言すれば、フレームシンクで区分されるフレームに存在する複数のデータフィールドに記録されたデータのうち、少なくとも一部または全部を合わせれば、一つのＥＣＣフレームが得られ、複数のフレームに存在する複数のデータフィールドに記録されたデータの少なくとも一部または全部を合わせれば、一つのＥＣＣフレームが得られる。すなわち、一つのＥＣＣフレームを構成するデータフィールドの数は、具現例によって多様に決まる。また、フレームシンクで区分される１フレームに存在する複数のアドレスフィールドに記録されたデータの少なくとも一部または全部を合わせれば、一つのアドレスフレームが得られる。すなわち、一つのＥＣＣフレームを構成するデータフィールドの数は、具現例によって多様に定められる。また、図４Ｃに示す配列で、フレームシンクで区分される１フレームに存在する複数のアドレスフィールドに記録されたデータの少なくとも一部または全部を合わせば、一つのＥＣＣフレームが得られる。図４Ａないし図４Ｃに示す配列で、一つのフレームに存在する複数のアドレスフィールドに記録されたデータの全部または少なくとも一部を合わせば、一つのアドレスフレームが得られる。ここで、フレームは、フレームシンクに基づいて互いに区別できる。
【００４４】
図５は、本発明の一実施形態によるＥＣＣフレームのデータ構造図である。図５を参照するに、ＥＣＣフレームは、付加情報を構成するデータ、及びエラー訂正のために付加されたパリティから形成される。換言すれば、ＥＣＣフレームは、複数のコードワード（ｃｏｄｅｗｏｒｄ）で構成され、各コードワードは、データ及びパリティから形成される。コードワードの数は、データフィールドの数と必ずしも同一である必要はない。すなわち、コードワードを構成するために割り当てられるデータの順序及び長さは、多様に決定できる。ここで、コードワードは、列方向に配置されているが、複数のデータフィールドに順次に記録される記録方向は、行方向である。このように、コードワードの方向と記録方向とが互いに逆になって、結局ＥＣＣフレームは、インターリービング（ｉｎｔｅｒｌｅａｖｉｎｇ）されて記録される効果を奏する。インターリービングの深さ（ｉｎｔｅｒｌｅａｖｉｎｇ  ｄｅｐｔｈ）は、コードワードの数となる。仮りに、コードワードの数がデータフィールドの数と同じくなれば、インターリービングの深さは、データフィールドの数となる。
【００４５】
図６Ａは、図５のＥＣＣフレームを光ディスク１００に記録する前に、第２  ＥＣＣエンコーディングを行って得られるブロック、または光ディスク１００から読み出された図５のＥＣＣフレームを第２  ＥＣＣデコーディングするためのブロックの一例を示す。図６Ａを参照するに、記録時、付加情報を表すデータに所定のダミーデータ（ｄｕｍｍｙ  ｄａｔａ）を付加した後、ＥＣＣエンコーディングすれば、付加情報を表すデータ及びダミーデータ全体についてのパリティが与えられる。得られたコードワードは、ＬＤＣ（Ｌｏｎｇ  Ｄｉｓｔａｎｃｅ  Ｃｏｄｅ）によるコードワードであるが、リードソロモンコードなど、他のＥＣＣエンコーディング方式によるコードワードに変更できることは、言うまでもない。
【００４６】
次いで、図５のＥＣＣフレームのみ残るようにダミーデータ及びパリティの一部を捨てた後、残されたＥＣＣフレームを光ディスク１００に記録する。すなわち、本実施形態で、ダミーデータは、ＥＣＣエンコーディングのために一時的に与えられるだけで、光ディスク１００に実際に記録されるものではない。パリティも、全部ではなく一部のみ記録され、残りは捨てられる。捨てられるパリティを残りのパリティと呼ぶ。
【００４７】
ダミーデータを付加した後、ＥＣＣエンコーディングを行う理由は、ユーザデータをＥＣＣエンコーディングするために設けられたＥＣＣエンコーダとの互換性を考慮するためである。すなわち、ダミーデータを付加することにより、ＥＣＣフレームのサイズがユーザデータのためのＥＣＣブロックのサイズと異なっても、ＥＣＣフレームのための別個のＥＣＣエンコーダを備える必要なく、ユーザデータのためのＥＣＣエンコーダを使用してエンコーディングができるので、ハードウェアの負担を顕著に減らすことができる。
【００４８】
再生時、光ディスク１００から読み込んだ、図５のようなＥＣＣフレームのデータ側に再びダミーデータが付加され、パリティ側に残りのパリティが付加される。ダミーデータは、あらかじめ決定されて付加されるので、ＥＣＣデコーディング時にダミーデータ部分の値はすべて知っていることになる。残りのパリティとしては、エンコーディング時に捨てられたパリティの代わりにランダムな値が付加される。換言すれば、デコーディング時、残りのパリティはエンコーディング時に捨てられたパリティと異なる値を持つ。ランダムな値で満たされた残りのパリティにはいずれもエラーが発生したと見なして、ＥＣＣデコーディング、すなわち、エラー訂正を行う。エラー訂正には、エラーが発生した事実だけ知っているだけで、その位置が分からないエラー訂正を狭義のエラー訂正といい、エラーが発生した事実及びその位置を知っているエラー訂正は、イレーズ（ｅｒａｓｅ）訂正という。したがって、残りのパリティ部分については、エラー発生位置が分かるイレーズ訂正が行われる。
【００４９】
図６Ｂは、図５のＥＣＣフレームを光ディスク１００に記録する前に、第２  ＥＣＣエンコーディングを行って得られるブロック、または、光ディスク１００から読み出された図５のＥＣＣフレームを、第２  ＥＣＣデコーディングするためのブロックの他の例を示す。図６Ｂを参照するに、記録時、１）付加情報を表すデータに所定のダミーデータを付け加えた後、コードワード単位でＥＤＣ（エラー検出コード）エンコーディングするか、２）付加情報を表すデータに、コードワード単位でＥＤＣエンコーディングした後、ダミーデータを付け加える。１）の場合は、付加情報を表すデータ及びダミーデータ全体についてのＥＤＣコードが付加され、２）の場合は、付加情報を表すデータについてのＥＤＣコードが付加される。ＥＤＣエンコーディングが完了した後、すなわち、付加情報を表すデータにＥＤＣコード及びダミーデータが追加された後、これら全体についてのＥＣＣエンコーディングを行う。その結果、パリティが与えられる。得られたコードワードは、ＬＤＣによるコードワードであるが、リードソロモンコードなど、他のＥＣＣエンコーディング方式によるコードワードに変更できることは言うまでもない。第２エンコーディングが完了して得られたコードワードは、そのまま光ディスク１００に記録される。すなわち、本実施形態で、ダミーデータは、ＥＣＣエンコーディング（または、ＥＤＣエンコーディング）のために与えられるだけでなく、光ディスク１００に実際に記録される。パリティも、その一部が捨てられずに全部記録される。
【００５０】
ダミーデータを付加した後、第２  ＥＣＣエンコーディングを行う理由は、ユーザデータをＥＣＣエンコーディングするために設けられたＥＣＣエンコーダとの互換性を考慮するためである。すなわち、ダミーデータを付加することにより、ＥＣＣフレームのサイズが、ユーザデータのためのメインブロックまたはＥＣＣブロックのそれと異なっても、ＥＣＣフレームのための別個のＥＣＣエンコーダを備える必要なく、ユーザデータのためのＥＣＣエンコーダを使用してエンコーディングできるので、ハードウェアの負担を顕著に減らすことができる。
【００５１】
再生時、光ディスク１００から読み込んだ、図６ＢのようなＥＣＣフレームを構成するコードワードについて、第２  ＥＣＣデコーディング、すなわち、エラー訂正を行う。さらに具体的に、１）先ず、ＥＣＣデコーディングを行った後、その結果について再びＥＤＣデコーディングを行うか、２）先ず、ＥＣＣデコーディングを行った後、その結果からダミーデータを取り除き、再びＥＤＣデコーディングを行う。１）は、ダミーデータを先ず付けた後にＥＤＣエンコーディングしてから、再びＥＣＣエンコーディングしたコードワードで構成されたＥＣＣフレームの場合に該当し、２）は、ＥＤＣエンコーディングしてからダミーデータを付けた後、再びＥＣＣエンコーディングしたコードワードで構成されたＥＣＣフレームの場合に該当する。
【００５２】
ＥＤＣデコーディングは、コードワードについてのエラー訂正が完了した時、第２エラー訂正システムにより誤訂正が行われたかどうかを知らせる。一般的に、エラー訂正システムによりコードワードをエラー訂正したとしても、訂正されたコードワードが、エラーが発生する前のコードワードとは言えない。したがって、ＥＣＣデコーディングによりエラー訂正を行った後、その結果についてＥＤＣエラー訂正を行うことによって、エラーがないと検査されるならば、その訂正されたデータについての信頼性はさらに高くなる。
【００５３】
図７Ａは、図６Ａの一コードワードの詳細図である。図７Ａを参照するに、図６Ａのコードワードは、ダミーバイト、付加情報を構成する情報バイト、パリティバイト、残りのパリティバイトで構成される。本実施形態でコードワードは、ＬＤＣによるコードワードであるが、リードソロモンコードなど他の方式によるコードワードに変更できるということは言うまでもない。前述したように、コードワードで、ダミーバイト及び残りのパリティバイトは、実際に光ディスク１００に記録されるデータではなく、ＥＣＣエンコーディング時、あるいはＥＣＣデコーディング時に使われるバイトである。情報バイト及びパリティバイトは、実際に光ディスク１００のリンク領域のデータフィールドに記録されるバイトを示す。一例に、１６バイトの情報バイトに２００バイトのダミーバイトが付加された後、ＥＣＣエンコーディングすれば、３２バイトのパリティが付加される。但し、実際に記録されるバイトは、１６バイトの情報バイト及び１６バイトのパリティバイトであり、２００バイトのダミーバイト及び１６バイトの残りのパリティバイトは、捨てられる。一方、再生時、光ディスク１００から読み込んだバイトは、１６バイトの情報バイト及び１６バイトのパリティバイトであるが、ここで、再び２００バイトのダミーバイトを付加し、残りのパリティバイトの代わりにランダムな値を満たした後、エラー訂正を行う。
【００５４】
図７Ｂは、図６Ｂの一コードワードの詳細図である。図７Ｂを参照するに、図６Ｂのコードワードはダミーバイト、付加情報を構成する情報バイト、ＥＤＣバイト及びパリティバイトで構成される。本実施形態でコードワードは、ＬＤＣによるコードワードであるが、リードソロモンコードなど他の方式によるコードワードに変更できるということは言うまでもない。前述したように、本実施形態のコードワードを構成するダミーバイト及びパリティバイトは、いずれも光ディスク１００に記録される。一例に、２８バイトの情報バイトに４バイトのＥＤＣバイトを付け、さらに１８４バイトのダミーバイトを付け加えた後、ＥＣＣエンコーディングすれば、３２バイトのパリティが付加される。
【００５５】
図８は、本発明の一実施形態によるアドレスフレームのデータ構造図である。図８を参照するに、インターリービングの深さはＭであり、各コードワードを構成するデータ長は５バイトであり、パリティ長は４バイトである場合のアドレスフレームが図示されている。このように、アドレスフレームは、アドレス情報を構成するデータ、及びエラー訂正のために付加されたパリティから形成される。換言すれば、アドレスフレームは、複数のアドレスコードワードで構成され、各コードワードは、データ及びパリティから形成される。本実施形態で、コードワードの数はアドレスフィールドの数と同一である。ここで、アドレスコードワードは、列方向に配置されているが、複数のアドレスフィールドに記録される記録方向は、行方向である。このように、コードワードの方向と記録方向とが互いに逆になっているため、結局アドレスフレームは、インターリービングされて記録される効果を奏する。インターリービング深さは、コードワードの数（データフィールドの数）、すなわちＭである。
【００５６】
アドレスフレームは、ＥＣＣフレームの場合とは違って、ダミーデータが付加されずにＥＣＣエンコーディングされ、かつＥＣＣデコーディングされる。なぜなら、アドレスフレームのためのＥＣＣエンコーダ及びＥＣＣデコーダが、ユーザデータのためのＥＣＣエンコーダ及びＥＣＣデコーダと別途に設けられることを前提にするためである。
【００５７】
図９Ａは、本発明の一実施形態によってリンク領域に記録される付加情報の配置方式を示す。図９Ａを参照するに、ＥＣＣブロック＃ｋ、ＥＣＣブロック＃ｋ±１、…が存在し、これらにそれぞれ対応するリンク領域＃ｋ、リンク領域＃ｋ±１、…が存在する時、リンク領域＃ｋのデータフィールドには、ＥＣＣブロック＃ｋ、＃ｋ−１、＃ｋ−２、＃ｋ−３に関する情報が記録され、リンク領域＃ｋ−１のデータフィールドには、ＥＣＣブロック＃ｋ−１、＃ｋ−２、＃ｋ−３、＃ｋ−４に関する情報が記録され、リンク領域＃ｋ＋１のデータフィールドには、ＥＣＣブロック＃ｋ＋１、＃ｋ、＃ｋ−１、＃ｋ−２に関する情報が記録される。
【００５８】
換言すれば、本実施形態によって、リンク領域に付加情報を配置する方式は、１）リンク領域の観点で、任意のリンク領域には、複数のＥＣＣブロックに対応する付加情報を配置し、２）付加情報の観点で、任意のＥＣＣブロックに対応する付加情報は、複数のリンク領域に配置させるという規則による。これにより、所定ＥＣＣブロックに対応する付加情報は、少なくとも２つの相異なるリンク領域に反復的に記録されることによって、情報の信頼性及び強じん性がさらに向上する。
【００５９】
図９Ｂは、本発明の一実施形態によってリンク領域に記録されるアドレス情報の配置方式を示す。図９Ｂを参照するに、ＥＣＣブロック＃ｋ、ＥＣＣブロック＃ｋ±１、…が存在し、これらにそれぞれ対応するリンク領域＃ｋ、リンク領域＃ｋ±１、…が存在する時、リンク領域＃ｋのアドレスフィールドには、ＥＣＣブロック＃ｋのアドレス情報が複数回反復して記録され、リンク領域＃ｋ−１のアドレスフィールドには、ＥＣＣブロック＃ｋ−１のアドレス情報が複数回反復して記録され、リンク領域＃ｋ＋１のアドレスフィールドには、ＥＣＣブロック＃ｋ＋１のアドレス情報が記録される。
【００６０】
図３Ａのように、ＥＣＣブロック＃ｋの次に対応するリンク領域＃ｋが存在する構造を持つ場合、任意のリンク領域には、直前に存在するＥＣＣブロックについてのアドレスが複数記録される。これにより、次のＥＣＣブロックについてのアドレスをあらかじめ予測できるようになり、ＥＣＣブロックについてのさらに速いアクセスができる。
【００６１】
図３Ｂのように、ＥＣＣブロック＃ｋ以前に対応するリンク領域＃ｋが存在する構造を持つ場合、任意のリンク領域には、直後に存在するＥＣＣブロックについてのアドレスが複数記録される。これにより、次のＥＣＣブロックについてのアドレスをあらかじめ予測できるようになり、ＥＣＣブロックについてのさらに速いアクセスができる。
【００６２】
図３Ｃのように、ＥＣＣブロック＃ｋ以前及び以後に対応するリンク領域＃ｋがそれぞれ存在する構造を持つ場合、任意のリンク領域には、直前または直後に存在するＥＣＣブロックについてのアドレスが複数記録される。これにより、次のＥＣＣブロックについてのアドレスをあらかじめ予測できるようになり、ＥＣＣブロックについてのさらに速いアクセスができる。
【００６３】
すなわち、本実施形態で、アドレス情報は、リンク領域に対応するＥＣＣブロックについてのアドレス情報が複数回反復して記録される。これにより、アドレス情報の信頼性及び強じん性が向上する。
【００６４】
図１０Ａは、本発明の他の実施形態によってリンク領域に記録される付加情報の配置方式を示す。図１０Ａを参照するに、ＥＣＣブロック＃ｋ、ＥＣＣブロック＃ｋ±１、…が存在し、これらにそれぞれ対応するリンク領域＃ｋ、リンク領域＃ｋ±１、…が存在する時、少なくとも一つのリンク領域、本実施形態では、リンク領域＃ｋ−１、ｋ、ｋ＋１のデータフィールドには任意の付加情報＃ｉが記録される。各リンク領域には複数のデータフィールドが存在するので、付加情報＃ｉは、各データフィールドごとに少なくとも１回ずつ記録される方式で反復して記録されることができる。複数回反復的に記録することによって、情報の信頼性及び強じん性は向上する。
【００６５】
すなわち、本実施形態によってリンク領域に付加情報を配置する方式は、複数のＥＣＣブロックに対応する付加情報を、前記ＥＣＣブロックに対応するリンク領域にすべて同一に少なくとも一回ずつ記録する規則による。特に、一部ＥＣＣブロックについての制限的接近許容如何（例：所定ＥＣＣブロックは、子供が視聴できないコンテンツが記録されている場合）を表示する情報などを記録する場合や、無料のプロモーションディスクを配った後、一部のＥＣＣブロックのみ示し、残りのＥＣＣブロックに含まれたコンテンツは、所定ウェブサイトに接続して、所定代金を支払って得たパスワードを入力して始めて見られるようにするビジネスモデルの場合、該当パスワードを付加情報として記録する場合に適している。
【００６６】
さらに、リンク領域＃ｋには、対応するＥＣＣブロック＃ｋについての付加情報＃ｋがそれぞれ記録される。同様に、付加情報＃ｋは、リンク領域＃ｋに存在する複数のデータフィールドごとに１回ずつ記録される方式で、反復的に記録される。
【００６７】
図１０Ｂは、本発明の他の実施形態によってリンク領域に記録されるアドレス情報の配置方式を示す。図１０Ｂを参照するに、ＥＣＣブロック＃ｋ、ＥＣＣブロック＃ｋ±１、…が存在し、これらにそれぞれ対応するリンク領域＃ｋ、リンク領域＃ｋ±１、…が存在する時、リンク領域＃ｋのアドレスフィールドには、ＥＣＣブロック＃ｋ−１、＃ｋ、＃ｋ＋１のアドレス情報が記録され、リンク領域＃ｋ−１のデータフィールドには、ＥＣＣブロック＃ｋ−２、＃ｋ−１、＃ｋのアドレス情報が記録され、リンク領域＃ｋ＋１のデータフィールドには、ＥＣＣブロック＃ｋ、＃ｋ＋１、＃ｋ＋２のアドレス情報が記録される。
【００６８】
換言すれば、本実施形態によって、リンク領域にアドレス情報を配置する方式は、１）リンク領域の観点で、任意のリンク領域には、複数のＥＣＣブロックに対応するアドレス情報の少なくとも一部を配置し、２）アドレス情報の観点で、任意のＥＣＣブロックに対応するアドレス情報は、複数のリンク領域に配置させるという規則による。これにより、所定ＥＣＣブロックに対応するアドレス情報は、少なくとも２つの相異なるリンク領域に反復的に記録されることによって、情報の信頼性及び強じん性がさらに向上する。
【産業上の利用可能性】
【００６９】
前述したように本発明によれば、ＲＯＭタイプディスクの場合、リンク領域を定義することにより、記録可能なディスクとドライブとの互換性を維持しつつも、記録空間の確保側面でリンク領域をさらに効率的に使用できるデータ構造を持つことができる。また、リンク領域に保存された情報の信頼性を高めるために、エラー訂正システムを導入して、信頼性及び強じん性がさらに向上し、リンク領域への情報の保存において、反復記録する方式を採用して、スクラッチ、フィンガープリントのようなエラーに備える。また、リンク領域内にＥＣＣブロックのアドレス情報を記録して活用可能にする。
【図面の簡単な説明】
【００７０】
【図１】本発明の望ましい実施形態による記録装置の概略図である。
【図２】本発明の望ましい実施形態による再生装置の概略図である。
【図３Ａ】本発明による光ディスク１００のデータ構造の物理的レイアウトの実施形態を示す図である。
【図３Ｂ】本発明による光ディスク１００のデータ構造の物理的レイアウトの実施形態を示す図である。
【図３Ｃ】本発明による光ディスク１００のデータ構造の物理的レイアウトの実施形態を示す図である。
【図４Ａ】本発明の望ましい実施形態による任意のリンク領域＃ｋのデータ構造図である。
【図４Ｂ】本発明の望ましい実施形態による任意のリンク領域＃ｋのデータ構造図である。
【図４Ｃ】本発明の望ましい実施形態による任意のリンク領域＃ｋのデータ構造図である。
【図５】本発明の一実施形態によるＥＣＣフレームのデータ構造図である。
【図６Ａ】図５のＥＣＣフレームを光ディスク１００に記録する前に第２  ＥＣＣエンコーディングを行って得られるブロック、または光ディスク１００から読み出された図５のＥＣＣフレームを第２  ＥＣＣデコーディングするためのブロックの一例を示す図である。
【図６Ｂ】図５のＥＣＣフレームを光ディスク１００に記録する前に第２  ＥＣＣエンコーディングを行って得られるブロック、または光ディスク１００から読み出された図５のＥＣＣフレームを第２  ＥＣＣデコーディングするためのブロックの他の例を示す図である。
【図７Ａ】図６Ａの一コードワードの詳細図である。
【図７Ｂ】図６Ｂの一コードワードの詳細図である。
【図８】本発明の一実施形態によるアドレスフレームのデータ構造図である。
【図９Ａ】本発明の一実施形態によってリンク領域に記録される付加情報の配置方式を示す参考図である。
【図９Ｂ】本発明の一実施形態によってリンク領域に記録されるアドレス情報の配置方式を示す参考図である。
【図１０Ａ】本発明の他の実施形態によってリンク領域に記録される付加情報の配置方式を示す参考図である。
【図１０Ｂ】本発明の他の実施形態によってリンク領域に記録されるアドレス情報の配置方式を示す参考図である。
【図１】
2006505892.tif 000003
【図２】
2006505892.tif 000004
【図３Ａ】
2006505892.tif 000005
【図３Ｂ】
2006505892.tif 000006
【図３Ｃ】
2006505892.tif 000007
2006505892.tif 000008
2006505892.tif 000009
2006505892.tif 000010
【図５】
2006505892.tif 000011
2006505892.tif 000012
2006505892.tif 000013
2006505892.tif 000014
【図８】
2006505892.tif 000015
【図９Ａ】
2006505892.tif 000016
【図９Ｂ】
2006505892.tif 000017
【図１０Ａ】
2006505892.tif 000018
【図１０Ｂ】
2006505892.tif 000019
【国際調査報告】
2006505892.tif 000020
2006505892.tif 000021
2006505892.tif 000022